(57)【要約】【課題】  ２つの軸で回転するように第１の筐体と第２の筐体とが接続されている携帯通信端末において、使用者は、使用形態に応じて一方の筐体を手動で回転させなければならない。【解決手段】  使用者が、第１の操作ボタン７、第２の操作ボタン８、または第３の操作ボタン９を操作すると、制御部２０は、使用者の操作と、前面表示状態であるか否かを検出する前面表示状態検出部１１および表示手段隠蔽状態であるかを否かを検出する閉状態検出部１２の検出結果とに応じて、開状態、前面表示状態、または表示手段隠蔽状態に変化するように回転モータ３および開閉モータ４を駆動する。【選択図】  図１
2006222559.tif 000002
【特許請求の範囲】
【請求項１】
一面に第１の部材が設けられている第１の筐体と、一面に第２の部材が設けられている第２の筐体とが接続され、前記第１の部材と前記第２の部材とが対向するように前記第１の筐体と前記第２の筐体とが折り畳まれる構造の携帯通信端末において、
前記第１の筐体が、前記第２の部材を覆う状態である閉状態であって、前記第１の部材が前記第２の部材によって隠蔽されない状態である第１部材非隠蔽状態であるか否かを検出する非隠蔽状態検出手段と、
前記閉状態であって、前記第１の部材が前記第２の部材によって隠蔽される状態である第１部材隠蔽状態であるか否かを検出する隠蔽状態検出手段と、
前記閉状態から前記第２の部材が開放されている状態である開状態に変化させ、または前記開状態から前記閉状態に変化させるように前記第１の筐体を回転させる開閉駆動手段と、
前記閉状態において前記第１部材非隠蔽状態になるように、または前記第１部材隠蔽状態になるように、前記開状態で前記第１の筐体を回転させる回転駆動手段と、
前記開状態、前記第１部材非隠蔽状態、または前記第１部材隠蔽状態に設定するように指示を入力する指示入力手段と、
前記指示入力手段に入力された指示と、前記非隠蔽検出手段および前記隠蔽状態検出手段の検出結果とにもとづいて、前記開閉駆動手段と前記回転駆動手段とを駆動する制御手段とを備えた
ことを特徴とする携帯通信端末。
【請求項２】
第１の筐体は、第１の部材としての表示器が設けられている筐体であり、第２の筐体は、第２の部材としての操作キーが設けられている筐体である
請求項１記載の携帯通信端末。
【請求項３】
制御手段は、非隠蔽状態検出手段および隠蔽状態検出手段の検出結果にもとづいて、開状態であるか、第１部材非隠蔽状態であるか、または第１部材隠蔽状態であるかを判断する
請求項１または請求項２記載の携帯通信端末。
【請求項４】
制御手段は、指示入力手段に入力された指示が示す設定状態と、非隠蔽状態検出手段および隠蔽状態検出手段の検出結果にもとづいて判断した状態とが合致しない場合に、前記指示入力手段に入力された指示にもとづいて開閉駆動手段と回転駆動手段とを駆動する
請求項３記載の携帯通信端末。
【請求項５】
制御手段は、指示入力手段に、第１の筐体の回転の指示が入力されると、前記指示入力手段に入力された指示に応じて開閉駆動手段と回転駆動手段とを駆動する
請求項１から請求項４のうちいずれか１項記載の携帯通信端末。
【請求項６】
指示入力手段に入力される指示と、第２の筐体に対する第１の筐体の位置を示す状態とを対応づけて記憶する記憶手段を含み、
制御手段は、前記指示入力手段に指示が入力されると、第１の筐体の位置が、入力された前記指示に対応づけて前記記憶手段が記憶している状態になるように開閉駆動手段と回転駆動手段とを駆動する
請求項１から請求項５のうちいずれか１項記載の携帯通信端末。
【請求項７】
指示入力手段は、第２の筐体の側面に設けられている
請求項１から請求項６のうちいずれか１項記載の携帯通信端末。
【請求項８】
一面に第１の部材が設けられている第１の筐体と、一面に第２の部材が設けられている第２の筐体とが接続され、前記第１の部材と前記第２の部材とが対向するように前記第１の筐体と前記第２の筐体とが折り畳まれる構造の携帯通信端末に内蔵され、それぞれの筐体の相対的な位置を変化させる筐体位置設定機構であって、
前記第１の筐体が、前記第２の部材を覆う状態である閉状態であって、前記第１の部材が前記第２の部材によって隠蔽されない状態である第１部材非隠蔽状態であるか否かを検出する非隠蔽状態検出手段と、
前記閉状態であって、前記第１の部材が前記第２の部材によって隠蔽される状態である第１部材隠蔽状態であるかを検出する隠蔽状態検出手段と、
前記閉状態から前記第２の部材が開放されている状態である開状態に変化させ、または前記開状態から前記閉状態に変化させるように前記第１の筐体を回転させる開閉駆動手段と、
前記閉状態において前記第１部材非隠蔽状態になるように、または前記第１部材隠蔽状態になるように、前記開状態で前記第１の筐体を回転させる回転駆動手段と、
前記開状態、前記第１部材非隠蔽状態、または前記第１部材隠蔽状態に設定するように指示を入力する指示入力手段と、
前記指示入力手段に入力された指示と、前記非隠蔽検出手段および前記隠蔽状態検出手段の検出結果とにもとづいて、前記開閉駆動手段と前記回転駆動手段とを駆動する制御手段とを備えた
ことを特徴とする携帯通信端末における筐体位置設定機構。
【請求項９】
指示入力手段に入力される指示と、第２の筐体に対する第１の筐体の位置を示す状態とを対応づけて記憶する記憶手段を含み、
制御手段は、前記指示入力手段に指示が入力されると、第１の筐体の位置が、入力された前記指示に対応づけて前記記憶手段が記憶している状態になるように開閉駆動手段と回転駆動手段とを駆動する
請求項８記載の携帯通信端末における筐体位置設定機構。
【発明の詳細な説明】
【技術分野】
【０００１】
本発明は、２つの筐体によって構成される携帯通信端末および２つの筐体によって構成される携帯通信端末におけるそれぞれの筐体の相対的な位置を変化させる筐体位置設定機構に関する。
【背景技術】
【０００２】
携帯通信端末は、インターネットへの接続機能の搭載等の多機能化に伴う携帯通信端末の表示内容の増加に応じて表示部が大型化し、２つの筐体の結合部で折り畳む折り畳み式携帯通信端末が普及している。
【０００３】
折り畳み式携帯通信端末は、折り畳んだ状態では、使用者は、表示部が表示している内容を視認することができないため、表示部の反対側の面に第２の表示部を備えたりしている。しかし、表示部を２つ備えると、製品コストが高くなるという問題がある。
【０００４】
そこで、折り畳んだ際に一方の筐体の表示部を外側に位置させることができる２軸回転式の結合部がそれぞれの筐体を結合する携帯通信端末がある。そのような携帯通信端末の一例が、特許文献１に記載されている。
【０００５】
特許文献１に記載されている携帯通信端末は、表示部を開放する開状態や、一方の筐体が他方の筐体の操作部を覆う閉状態、閉状態で表示部が第１の筐体における第２の筐体に接する面の反対側の面に位置する状態である前面表示状態等の多様な形態で使用される。
【０００６】
また、表示部に、両面表示が可能な透過型表示器を用いて、閉状態であっても、表示部が表示している内容を視認することができる携帯電話機が提案されている（例えば、特許文献２参照。）。
【０００７】
開状態から閉状態に変化させるように駆動するモータを備えた携帯電話機が提案されている（例えば、特許文献３参照。）。
【０００８】
【特許文献１】特開２００２−１７１１８９号公報  （段落０００８〜００２４、図１）
【特許文献２】特開２００１−２５７７５４号公報  （段落００２５〜００３１、図１）
【特許文献３】実用新案登録第３０７９８２０号公報  （段落０００５、図１）
【発明の開示】
【発明が解決しようとする課題】
【０００９】
しかし、特許文献１に記載されている携帯通信端末は、使用者が手動で複数の操作を行って前面表示状態等から開状態等に変化させなければならず、着信等を素早く行うことが困難であるという問題がある。
【００１０】
また、特許文献２に記載されている携帯電話機は、表示部に両面表示が可能な透過型表示器を用いるため、コストがかかるという問題がある。また、一般に透過型表示器は、屋外等の明るい場所では視認性が悪化する。
【００１１】
特許文献３に記載されている携帯電話機では、モータで開状態から閉状態に変化させ、また、モータで閉状態から開状態に変化させることができるが、前面表示状態等の他の状態に変化させることができない。
【００１２】
そこで、本発明は、２軸回転式の結合部で結合された複数の筐体によって構成されている携帯通信端末において、簡単に筐体の相対的な位置を変化させることができる携帯通信端末および携帯通信端末における筐体位置設定機構を提供することを目的とする。
【課題を解決するための手段】
【００１３】
本発明による携帯通信端末は、一面に第１の部材（例えば、表示部５）が設けられている第１の筐体と、一面に第２の部材（例えば、操作部６）が設けられている第２の筐体とが接続され、第１の部材と第２の部材とが対向するように第１の筐体と第２の筐体とが折り畳まれる構造の携帯通信端末であって、第１の筐体が、第２の部材を覆う状態（例えば、折り畳まれた状態、すなわち折り畳み状態）である閉状態であって、第１の部材が第２の部材によって隠蔽されない状態（利用者が視認可能な状態）である第１部材非隠蔽状態（例えば、利用者が視認可能な状態である前面表示状態）であるか否かを検出する非隠蔽状態検出手段と、閉状態であって、第１の部材が第２の部材によって隠蔽される状態である第１部材隠蔽状態（例えば、表示部隠蔽状態）であるかを検出する隠蔽状態検出手段と、閉状態から第２の部材が開放されている状態である開状態に変化させ、または開状態から閉状態に変化させるように第１の筐体を回転させる開閉駆動手段と、閉状態において第１部材非隠蔽状態になるように、または第１部材隠蔽状態になるように、開状態で第１の筐体を回転させる回転駆動手段と、開状態、第１部材非隠蔽状態、または第１部材隠蔽状態に設定するように指示を入力する指示入力手段と、指示入力手段に入力された指示と、非隠蔽検出手段および隠蔽状態検出手段の検出結果とにもとづいて、開閉駆動手段と回転駆動手段とを駆動する制御手段とを備えたことを特徴とする。
【００１４】
第１の筐体は、例えば第１の部材としての表示器が設けられている筐体であり、第２の筐体は、例えば第２の部材としての操作キーが設けられている筐体である。
【００１５】
制御手段は、非隠蔽状態検出手段および隠蔽状態検出手段の検出結果にもとづいて、開状態であるか、第１部材非隠蔽状態であるか、または第１部材隠蔽状態であるかを判断してもよいし、指示入力手段に入力された指示が示す設定状態と、非隠蔽状態検出手段および隠蔽状態検出手段の検出結果にもとづいて判断した状態とが合致しない場合に、指示入力手段に入力された指示にもとづいて開閉駆動手段と回転駆動手段とを駆動してもよい。
【００１６】
制御手段は、指示入力手段に、第１の筐体の回転の指示が入力されると、指示入力手段に入力された指示に応じて開閉駆動手段と回転駆動手段とを駆動してもよい。
【００１７】
指示入力手段に入力される指示と、第２の筐体に対する第１の筐体の位置を示す状態とを対応づけて記憶する記憶手段を含んでもよく、制御手段は、指示入力手段に指示が入力されると、第１の筐体の位置が、入力された指示に対応づけて記憶手段が記憶している状態になるように開閉駆動手段と回転駆動手段とを駆動してもよい。そのような構成によれば、指示入力手段に入力された指示にもとづいて、記憶手段が記憶している状態に変化させることができる。また、指示入力手段は、第２の筐体の側面に設けられていてもよい。
【００１８】
本発明による筐体位置設定機構は、一面に第１の部材が設けられている第１の筐体と、一面に第２の部材が設けられている第２の筐体とが接続され、第１の部材と第２の部材とが対向するように第１の筐体と第２の筐体とが折り畳まれる構造の携帯通信端末に内蔵され、それぞれの筐体の相対的な位置を変化させる筐体位置設定機構であって、第１の筐体が、第２の部材を覆う状態である閉状態であって、第１の部材が第２の部材によって隠蔽されない状態である第１部材非隠蔽状態であるか否かを検出する非隠蔽状態検出手段と、閉状態であって、第１の部材が第２の部材によって隠蔽される状態である第１部材隠蔽状態であるかを検出する隠蔽状態検出手段と、閉状態から第２の部材が開放されている状態である開状態に変化させ、または開状態から閉状態に変化させるように第１の筐体を回転させる開閉駆動手段と、閉状態において第１部材非隠蔽状態になるように、または第１部材隠蔽状態になるように、開状態で第１の筐体を回転させる回転駆動手段と、開状態、第１部材非隠蔽状態、または第１部材隠蔽状態に設定するように指示を入力する指示入力手段と、指示入力手段に入力された指示と、非隠蔽検出手段および隠蔽状態検出手段の検出結果とにもとづいて、開閉駆動手段と回転駆動手段とを駆動する制御手段とを備えたことを特徴とする。
【００１９】
指示入力手段に入力される指示と、第２の筐体に対する第１の筐体の位置を示す状態とを対応づけて記憶する記憶手段を含んでもよく、制御手段は、指示入力手段に指示が入力されると、第１の筐体の位置が、入力された指示に対応づけて記憶手段が記憶している状態になるように開閉駆動手段と回転駆動手段とを駆動してもよい。
【発明の効果】
【００２０】
本発明によれば、２軸回転式の結合部で結合された複数の筐体によって構成されている携帯通信端末の形態を、簡単に変化させることができる。よって、使用に際して、複数の筐体間の位置関係が多々ある場合、すなわち使用形態が多々ある場合でも、使用者は、煩雑な手動操作を行うことなく、携帯通信端末を容易に所望の使用形態にすることができる。
【発明を実施するための最良の形態】
【００２１】
本発明の実施の形態について、図面を参照して説明する。図１は、本発明の携帯通信端末の開状態における外観斜視図である。なお、図１に示すように、第２の筐体２００の操作部６を開放している状態、すなわち折り畳まれていない状態を開状態という。
【００２２】
本発明の携帯通信端末は、ほぼ立方体形状における一面（以下、表面という。）において情報を表示する表示部（表示手段）５が設けられている第１の筐体１００、ほぼ立方体形状の一面（以下、表面という。）において情報を入力するための操作キーなどの操作部（入力手段）６が設けられている第２の筐体２００、および第１の筐体１００と第２の筐体２００とを結合するヒンジ部３００を含む。なお、第１の筐体１００における表面の反対側の面を背面という。表示部５は、ＬＣＤや有機ＥＬ装置などの表示器で実現される。
【００２３】
なお、図１には、好ましい携帯通信端末として、一面に第１の部材（この例では表示部５）が設けられている第１の筐体１００と、一面に第２の部材（この例では操作部６）が設けられている第２の筐体２００とがヒンジ部３００で接続され、第１の部材と第２の部材とが対向するように第１の筐体１００と第２の筐体２００とが折り畳まれる構造の携帯電話機が例示されているが、そのような構造を有していれば、本発明を、ＰＨＳ（Ｐｅｒｓｏｎａｌ  Ｈａｎｄｙｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｃｅ）端末などの他の携帯型の通信端末に適用することもできる。
【００２４】
また、第２の筐体２００の側面（操作部６が設けられている面と直交する面であって、長い方の辺を有する面）には、携帯通信端末の使用形態を設定する指示を入力する第１の操作ボタン７、第２の操作ボタン８および第３の操作ボタン９が設けられている。なお、指示入力手段は、第１の操作ボタン７、第２の操作ボタン８および第３の操作ボタン９によって実現される。
【００２５】
図２は、本発明の携帯通信端末の表示部隠蔽状態における外観斜視図である。なお、第１の筐体１００と第２の筐体２００における操作部６とが接する状態（やや隙間があってもよい）を閉状態といい、閉状態で、第１の筐体１００の表面が、第２の筐体２００の表面に接する状態を表示部隠蔽状態という。また、図３は、本発明の携帯通信端末の前面表示状態における外観斜視図である。なお、閉状態で、第１の筐体１００の背面が、第２の筐体２００の表面に接する状態（やや隙間があってもよい）を前面表示状態という。従って、閉状態には、表示部隠蔽状態と前面表示状態との２つの状態がある。
【００２６】
なお、携帯通信端末の使用形態とは、複数の筐体の位置関係にもとづく携帯通信端末の全体的な形態である。また、この実施の形態では、携帯通信端末の使用形態として、閉状態である形態、表示部隠蔽状態および前面表示状態である形態の３形態を例示するが、携帯通信端末の使用形態に、さらに他の形態が含まれていてもよい。
【００２７】
本発明の携帯通信端末において、第１の筐体１００は、ヒンジ部３００を支点に回転する。ここで、第１の筐体１００の回転について説明する。第１の筐体１００は、第２の筐体２００における操作部６を覆う状態である閉状態（図２または図３に示す状態）から、ヒンジ部３００を支点にして、操作部６を開放する状態である開状態（図１に示す状態）に変わるように、第２の筐体２００の操作部６を有する面から離れる方向に回転する。
【００２８】
また、第１の筐体１００は、開状態（図１に示す状態）で、ヒンジ部３００を支点にして、第１の筐体１００の長手方向を軸に１８０°回転する。そして、第１の筐体１００が、ヒンジ部３００を支点にして、第２の筐体２００の操作部６を覆うように回転すると、前面表示状態（図３に示す状態）になる。
【００２９】
第１の筐体１００は、開状態（図１に示す状態）で、ヒンジ部３００を支点にして、第２の筐体２００の操作部６を覆うように回転すると、表示部隠蔽状態（図２に示す状態）になる。
【００３０】
図４は、本発明の携帯通信端末の内部構造を示す分解斜視図である。本発明の携帯通信端末において、第１の筐体１００は、内部に、ヒンジ部３００と結合して第１の筐体１００を第１の筐体１００の長手方向を軸に回転させる回転モータ（回転駆動手段）３、および表示部５に向かって右側に設置された磁石１０を含む。なお、磁石１０は、表示部５に向かって左側に設置されていてもよい。
【００３１】
本発明の携帯通信端末において、第２の筐体２００には、内部に、ヒンジ部３００を介して第１の筐体１００が開閉するように回転させる開閉モータ（開閉駆動手段）４、表示部隠蔽状態で、第１の筐体に設置された磁石１０の近傍の位置になるように設置され、磁石１０との距離が所定の範囲内であるか否かを検出する閉状態検出部１２、および前面表示状態で、第１の筐体に設置された磁石１０の近傍の位置になるように設置され、磁石１０との距離が所定の範囲内であるか否かを検出する前面表示状態検出部１１が設けられている。閉状態検出部１２および前面表示状態検出部１１は、例えば、磁石１０の磁力を検出するホールＩＣによって実現される。
【００３２】
なお、この実施の形態では、第１の部材が第２の部材によって隠蔽されない状態である第１部材非隠蔽状態（この例では、前面表示状態）であるか否かを検出する非隠蔽状態検出手段は、磁石１０と前面表示状態検出部１１とで実現され、第１の部材が第２の部材によって隠蔽される状態である第１部材隠蔽状態（この例では、表示部隠蔽状態）であるか否かを検出する隠蔽状態検出手段は、磁石１０と閉状態検出部１２とで実現される。
【００３３】
本発明の携帯通信端末において、ヒンジ部３００には第１の筐体１００の長手方向に穴が設けられ、ヒンジ部３００は、その穴に嵌合して第１の筐体１００と結合する第１のヒンジ１を含む。第１のヒンジ部１と、回転モータ３とは、歯車で結合されている。従って、第１の筐体１００は、回転モータ３が回転すると、回転モータ３の回転に伴って第１のヒンジ部１の歯車に沿って移動する。すなわち、第１の筐体１００は、回転モータ３の回転に従って、第１のヒンジ部１を中心に、第１の筐体１００の長手方向を軸に回転する。
【００３４】
また、本発明の携帯通信端末において、ヒンジ部３００には第２の筐体２００の長手方向に垂直であって、操作部６を含む面に平行な方向に穴が設けられ、ヒンジ部３００は、その穴に嵌合して第２の筐体２００と結合する第２のヒンジ２を含む。第２のヒンジ部２と、開閉モータ４とは歯車で結合されている。すると、第２のヒンジ部２は、ヒンジ部３００に嵌合しており、ヒンジ部３００は第１のヒンジ部１を介して第１の筐体１００と結合しているため、第１の筐体１００は、開閉モータ４が回転すると、開閉モータ４の回転に連動して、第２のヒンジ部２を中心に、第２の筐体２００の短い方の辺を軸に回転する。
【００３５】
図５は、本発明の携帯通信端末の制御系の一構成例を示すブロック図である。本発明の携帯通信端末は、第１の操作ボタン７、第２の操作ボタン８および第３の操作ボタン９の操作と、前面表示状態検出部１１および閉状態検出部１２の検出結果とに応じて、回転モータ３および開閉モータ４を制御する制御部（制御手段）２０を含む。なお、制御部２０は、プログラムに従って処理を実行するＣＰＵで実現されている。また、携帯通信端末は、アンテナ、無線回路、音声回路、表示部、操作部、マイクロフォンおよびスピーカ等も含むが、図５では記載省略されている。
【００３６】
前面表示状態検出部１１は、磁石１０との距離が所定の範囲内であることを検出すると、信号を制御部２０に出力する。また、閉状態検出部１２は、磁石１０との距離が所定の範囲内であることを検出すると、信号を制御部２０に出力する。
【００３７】
制御部２０は、使用者による第１の操作ボタン７、第２の操作ボタン８および第３の操作ボタン９の操作に応じて、どの使用形態に設定するのかを決定する。具体的には、例えば、制御部２０は、第１の操作ボタン７が押下されると、前面表示状態に設定すると決定する。また、制御部２０は、第２の操作ボタン８が押下されると、表示部隠蔽状態に設定すると決定する。制御部２０は、第３の操作ボタン９が押下されると、開状態に設定すると決定する。
【００３８】
次に、本発明の携帯通信端末の動作を、図面を参照して説明する。図６は、本発明の携帯通信端末の動作を説明するフローチャートである。
【００３９】
制御部２０は、第１の操作ボタン７が操作されたことを検出すると（ステップＳ１０１）、閉状態検出部１２および前面表示状態検出部１１から信号が入力されたか否かにもとづいて、携帯通信端末が、表示部隠蔽状態であるか、前面表示状態であるか、または開状態であるかを判断する（ステップＳ１０２）。
【００４０】
具体的には、制御部２０は、前面表示状態検出部１１から信号が入力されると、開状態であると判断する。また、制御部２０は、閉状態検出部１２から信号が入力されると、表示部隠蔽状態であると判断する。制御部２０は、閉状態検出部１２および前面表示状態検出部１１から信号が入力されないと、開状態であると判断する。
【００４１】
制御部２０は、表示部隠蔽状態であると判断すると、開閉モータ４を駆動して第１の筐体１００を第２の筐体２００の操作部６を有する面から離れる方向に回転させ、表示部隠蔽状態から開状態に変える（ステップＳ１０３）。
【００４２】
制御部２０は、開状態であると判断すると、回転モータ３を駆動して第１の筐体１００を１８０°回転させる。そして、制御部２０は、開閉モータ４を駆動して第１の筐体１００を第２の筐体２００の操作部６を覆うように回転させ、前面表示状態に変える（ステップＳ１０４）。
【００４３】
また、制御部２０は、第２の操作ボタン８が操作されたことを検出すると（ステップＳ１０１）、閉状態検出部１２および前面表示状態検出部１１から信号が入力されたか否かにもとづいて、携帯通信端末が、表示部隠蔽状態であるか、前面表示状態であるか、または開状態であるかを判断する（ステップＳ１０５）。
【００４４】
制御部２０は、前面表示状態であると判断すると、開閉モータ４を駆動して、第１の筐体１００を第２の筐体２００の操作部６を有する面から離れる方向に回転させる。そして、制御部２０は、回転モータ３を駆動して第１の筐体１００を１８０°回転させ、開状態に変える（ステップＳ１０６）。
【００４５】
制御部２０は、開状態であると判断すると、開閉モータ４を駆動して第１の筐体１００を第２の筐体２００の操作部６を覆うように回転させ、表示部隠蔽状態に変える（ステップＳ１０７）。
【００４６】
また、制御部２０は、第３の操作ボタン９が操作されたことを検出すると（ステップＳ１０１）、閉状態検出部１２および前面表示状態検出部１１から信号が入力されたか否かにもとづいて、携帯通信端末が、表示部隠蔽状態であるか、前面表示状態であるか、または開状態であるかを判断する（ステップＳ１０８）。
【００４７】
制御部２０は、前面表示状態であると判断すると、開閉モータ４を駆動して、第１の筐体１００を第２の筐体２００の操作部６を有する面から離れる方向に回転させる。そして、制御部２０は、回転モータ３を駆動して第１の筐体１００を１８０°回転させ、開状態に変える（ステップＳ１０９）。
【００４８】
また、制御部２０は、表示部隠蔽状態であると判断すると、開閉モータ４を駆動して、第１の筐体１００を第２の筐体２００の操作部６を有する面から離れる方向に回転させ、開状態に変える（ステップＳ１１０）。
【００４９】
なお、制御部２０は、第１の操作ボタン７、第２の操作ボタン８および第３の操作ボタン９の操作に応じて、回転モータ３および開閉モータ４を駆動して第１の筐体１００を回転させてもよい。
【００５０】
また、記憶手段（図示せず）が、操作部６、第１の操作ボタン７、第２の操作ボタン８、または第３の操作ボタン９の操作に従って、任意の状態（例えば、第１の筐体１００が第２の筐体２００の操作部６を有する面に対して垂直であって、第２の筐体２００の側面の方向を向いている状態）を記憶してもよい。そして、使用者が、操作部６、第１の操作ボタン７、第２の操作ボタン８、または第３の操作ボタン９に所定の操作を行うと、制御部２０は、記憶手段が記憶している状態に設定されるように、回転モータ３および開閉モータ４を駆動して第１の筐体１００を回転させてもよい。
【００５１】
以上に述べたように、この実施の形態によれば、第１の操作ボタン７、第２の操作ボタン８、または第３の操作ボタン９を操作すると、携帯通信端末の使用形態を、使用者が意図する形態に自動的に設定することができる。そのため、例えば、使用者は、着信時に第３の操作ボタン９を操作して携帯通信端末を開状態の使用形態に変化させ、素早く応答することができる。
【００５２】
なお、以上に述べた実施の形態では、第２の筐体２００は、携帯通信端末の使用形態を設定する指示を入力する第１の操作ボタン７、第２の操作ボタン８および第３の操作ボタン９を備えるが、第１の操作ボタン７、第２の操作ボタン８および第３の操作ボタン９に代えて、携帯通信端末の使用形態を設定する指示を入力するスライドスイッチ１３を備えてもよい。
【００５３】
図７は、第２の筐体２００がスライドスイッチ１３を備えた場合の外観斜視図である。また、制御部２０は、スライドスイッチ１３の位置を検出して、携帯通信端末の使用形態をどの状態に変えるのかを決定する。具体的には、例えば、制御部２０は、スライドスイッチ１３がヒンジ部３００に近い位置にあることを検出すると、開状態に変えると決定する。また、制御部２０は、スライドスイッチ１３がヒンジ部３００に遠い位置にあることを検出すると、表示部隠蔽状態に変えると決定する。制御部２０は、スライドスイッチ１３がヒンジ部３００に近い位置と遠い位置との中間の位置にあることを検出すると、前面表示状態に変えると決定する。
【００５４】
すると、使用者は、誤ったボタンを押下してしまったりすることなくスライドスイッチ１３を操作することができるため、第１の操作ボタン７、第２の操作ボタン８および第３の操作ボタン９を備えた場合よりも操作性を向上させることができる。
【００５５】
なお、以上に述べた実施の形態では、第２の筐体２００は、携帯通信端末の使用形態を変更する指示を入力する第１の操作ボタン７、第２の操作ボタン８および第３の操作ボタン９を備えるが、第２の筐体２００は、第１の操作ボタン７、第２の操作ボタン８および第３の操作ボタン９に代えて、携帯通信端末の使用形態を設定する指示を入力するヒンジ操作用ボタン１４を備えてもよい。図８は、第２の筐体２００がヒンジ操作用ボタン１４を備えた場合の外観斜視図である。
【００５６】
そして、制御部２０は、例えば、ヒンジ操作用ボタン１４が１回押下されると開状態に設定すると決定し、ヒンジ操作用ボタン１４が２回押下されると前面表示状態に設定すると決定し、ヒンジ操作用ボタン１４が所定の時間以上継続して押下されると表示部隠蔽状態に設定すると決定してもよい。
【００５７】
すると、使用者は、ヒンジ操作用ボタン１４を操作すると、誤ったボタンを押下してしまったりすることがないため、第１の操作ボタン７、第２の操作ボタン８および第３の操作ボタン９を備えた場合よりも操作性を向上させることができる。
【００５８】
なお、以上に述べた実施の形態では、図１の例に示すように、第２の筐体２００は、操作部６を含む面の長手側の側面に、第１の操作ボタン７、第２の操作ボタン８および第３の操作ボタン９を備えるが、第２の筐体２００は、操作部６を含む面の反対側の面に、第１の操作ボタン７、第２の操作ボタン８および第３の操作ボタン９を備えてもよいし、ヒンジ操作用ボタン１４を備えてもよい。
【００５９】
すると、第２の筐体２００がそれらのボタンを操作部６を含む面の長手側の側面に備えた場合よりも操作性を向上させることができる。
【産業上の利用可能性】
【００６０】
本発明は、２軸回転式の結合部で結合された複数の筐体によって構成されている携帯通信端末に適用することができる。
【図面の簡単な説明】
【００６１】
【図１】本発明の携帯通信端末の開状態における外観斜視図である。
【図２】本発明の携帯通信端末の表示部隠蔽状態における外観斜視図である。
【図３】本発明の携帯通信端末の前面表示状態における外観斜視図である。
【図４】本発明の携帯通信端末の内部構造を示す分解斜視図である。
【図５】本発明の携帯通信端末の制御系の一構成例を示すブロック図である。
【図６】本発明の携帯通信端末の動作を説明するフローチャートである。
【図７】第２の筐体がスライドスイッチを備えた場合の外観斜視図である。
【図８】第２の筐体がヒンジ操作用ボタンを備えた場合の外観斜視図である。
【符号の説明】
【００６２】
１      第１のヒンジ
２      第２のヒンジ
３      回転モータ
４      開閉モータ
５      表示部
６      操作部
７      第１の操作ボタン
８      第２の操作ボタン
９      第３の操作ボタン
１０    磁石
１１    前面表示状態検出部
１２    閉状態検出部
１３    スライドスイッチ
１４    ヒンジ操作用ボタン
２０    制御部
１００  第１の筐体
２００  第２の筐体
３００  ヒンジ部
【図１】
2006222559.tif 000003
【図２】
2006222559.tif 000004
【図３】
2006222559.tif 000005
【図４】
2006222559.tif 000006
【図５】
2006222559.tif 000007
【図６】
2006222559.tif 000008
【図７】
2006222559.tif 000009
【図８】
2006222559.tif 000010